(57)【要約】  【課題】側溝に設置されているグレーチングを安全かつ容易に取り外すことのできるグレーチング取外し工具を提供する。  【解決手段】本考案のグレーチング取外し工具１は、端部に設けられた支点パネル２と、支点パネル２に回動自在に取り付けられ、斜め上方に伸びるアーム３と、アームの先端部に設けられたハンドル４とからなる。アーム３の途中には角度変更部５が設けられ、支点パネル２から角度変更部５までの角度よりも角度変更部５からハンドル４までの角度が緩やかになっており、角度変更部５から下方に回動自在なフック６が設けられている。グレーチング１０の横に支点パネル２を設置し、フック６をグレーチング１０の格子に引っ掛けて、ハンドル４を上げるとグレーチング１０を持ち上げることができる。また、フック６の上にタンバックル７やスライド部８を設けることで、フック６の横方向の位置や高さを調節することもできる。  【選択図】  図１
0003209892.tif 000002
【実用新案登録請求の範囲】
【請求項１】
道路の側溝に取り付けられたグレーチングを取り外す工具であって、前記工具の先端部に設けられた支点パネルと、前記支点パネルに回動自在に取り付けられ、前記支点パネルから斜め上方に伸びるアームと、前記アームの後端部に設けられたハンドルとからなり、前記アームの途中に角度変更部が設けられ、前記支点パネルから前記角度変更部までの角度よりも前記角度変更部から前記ハンドルまでの角度が緩やかになっており、前記角度変更部の前記ハンドル側位置から下向きに回動自在なフックが設けられていることを特徴とするグレーチング取外し工具。
【請求項２】
請求項１記載のグレーチング取外し工具において、前記フックの上部にタンバックルが設けられており、前記タンバックルを回すことによって前記タンバックルの下端部に設けられた前記フックの高さを調節できるようにしたことを特徴とするグレーチング取外し工具。
【請求項３】
請求項１または２記載のグレーチング取外し工具において、前記フック上端の前記アームへの取付け位置に、前記角度変更部から前記ハンドルまでの間を移動できるようにしたスライド部が設けられていることを特徴とするグレーチング取外し工具。
【考案の詳細な説明】
【技術分野】
【０００１】
本考案は、道路の側溝に取り付けられているグレーチングを安全かつ容易に取り外すことができるグレーチング取外し工具に関するものである。
【背景技術】
【０００２】
従来、道路の側溝には、人や物の落下やゴミなどの蓄積を防止するためにグレーチングが設置されている。しかし、グレーチングは非常に重たいため扱いにくく、人力で容易に持ち上げられるものではない。側溝の中を掃除する際に、グレーチング専用のハンドルを使用して取り外さなければならず、例えば特許文献１〜３に記載されたものがある。
【０００３】
特許文献１には、一側に把手部を有し他側に側溝蓋上面への押圧部を備えた操作ハンドルと、操作ハンドルの中間部に揺動自在に垂設され、側溝蓋に形成される切欠間隙から側溝蓋の裏面側に挿入可能で、かつ、側溝蓋の裏面への当接部を有して成る掛止体とを備えている溝蓋脱着具が記載されている。
【０００４】
上記の溝蓋脱着具は、二人で一組となって、夫々が脱着具を一つずつ持ち、切欠間隙が設けられている側から溝蓋を挟んで対峙して使用する。夫々の脱着具の押圧部を溝蓋の表面に当て、掛止体を切欠間隙から溝蓋の裏面側に挿入し、掛止体の当接部を溝蓋の裏面に当接させる。
【０００５】
この状態で、操作ハンドルの把手部を持って、上方に持ち上げると、把手部に加えられた持ち上げ力は、押圧部を支点として掛止体に加わると共に、掛止体の支持部を支点として、押圧部から溝蓋へ押圧力として作用し、溝蓋が操作ハンドルの押圧部と掛止体の当接部とによって、挟持された状態となり、溝蓋は上方に持ち上げられる。
【０００６】
特許文献２には、棒状に形成された中央部と、中央部の一端に連続して幅広に形成された端部と、中央部の他端に連続して形成された把手部と、中央部の所定の位置において中央部に対して正逆に回転自在に取り付けられ、かつＵ字溝の蓋の一端を載置可能な第１の部材とを備える道路に敷設されている蓋を開ける機具が記載されている。
Ｕ字溝の蓋の一端を第１の部材に載置し、蓋開け機の端部をＵ字溝の蓋の上面に接触させた状態で把手部を上に持ち上げることにより、Ｕ字溝の蓋を開ける。
【０００７】
特許文献３には、コンクリート製の道路側溝蓋の持ち上げ移設具が記載されており、直立支柱と、この直立支柱の上端に横軸で枢着されたてこレバーと、このてこレバーの横軸に近い端部に折り返し部を支持されて下がる逆Ｖ字形の金属帯板製の挟み腕とからなり、挟み腕の両下端に道路側溝蓋を支持する支持部材を対向させて設けている。
【０００８】
対向する支持部材で道路側溝蓋を支持できる状態にした後に挟み腕をてこレバーに吊り下げ、垂直方向にてこレバーを回動させることにより、道路側溝蓋を持ち上げる。そして、直立支柱を中心にして水平方向にてこレバーを直立支柱とともに回動させた後、てこレバーを垂直方向に回動させることにより、道路側溝蓋を移動させる。
【先行技術文献】
【特許文献】
【０００９】
【特許文献１】特開平８−２７００６２号公報
【特許文献２】登録実用新案第３０１８５５４号
【特許文献３】実開平６−０３５３８８号公報
【考案の概要】
【考案が解決しようとする課題】
【００１０】
特許文献１記載の溝蓋脱着具を使用する場合、２人１組となって作業するとあるが、常にグレーチングを取り外す者が２人以上いるとは限らず、結局２人以上の腕力が必要ということになり、実際に使用することを考えると不便である。
【００１１】
また、特許文献１記載の溝蓋脱着具の場合は押圧部、特許文献２記載の蓋を開ける機具の場合は端部をそれぞれ蓋の上に当てて持ち上げるとあるが、持ち上げる蓋自体の上に支点を置いて持ち上げるというのは、不安定な作業であり、上手く力が伝わるとは考えにくい。
【００１２】
本考案は、上述のような課題の解決を図ったものであり、側溝に設置されているグレーチングを安全かつ容易に取り外すことのできるグレーチング取外し工具を提供することを目的としている。
【課題を解決するための手段】
【００１３】
本考案に係るグレーチング取外し工具は、道路の側溝に取り付けられたグレーチングを取り外す工具であって、前記工具の先端部に設けられた支点パネルと、前記支点パネルに回動自在に取り付けられ、前記支点パネルから斜め上方に伸びるアームと、前記アームの後端部に設けられたハンドルとからなり、前記アームの途中に角度変更部が設けられ、前記支点パネルから前記角度変更部までの角度よりも前記角度変更部から前記ハンドルまでの角度が緩やかになっており、前記角度変更部の前記ハンドル側位置から下向きに回動自在なフックが設けられていることを特徴とする。
【００１４】
グレーチング取外し工具の先端部に支点パネルがあり、支点パネルを支点にして回動自在なアームが取り付けられている。このアームは、支点パネルから斜め上方に伸びているもので、アームの後端部にはハンドルが設けられている。
【００１５】
また、支点パネルからハンドルまでのアームの途中に角度変更部があり、支点パネルから角度変更部までの角度よりも角度変更部からハンドルまでの角度が緩やかになっている。
【００１６】
支点パネルに対してアームを回動自在に取り付け、アームの途中から角度を変更することによって、ハンドルを握って上下に動かしやすく力が入れやすい構造になっている。
【００１７】
角度変更部のハンドル寄りの位置から下方に伸びるフックがアームに対して回動自在に取り付けられており、フックの先端部をグレーチングの格子に引っかけられる構造とする。アームに対してフックが回動自在に取り付けられていることによって、フックが動きやすいような構造にしており、グレーチングへの脱着がしやすい。また、ハンドルを上下に動かすと、その動きに連動してフックも上下する構造となっている。
【００１８】
ここで言うフックの形状は、グレーチングの格子に引っ掛けられる形状であれば特に限定されない。
【００１９】
また、グレーチング取外し工具のフックの上部にタンバックルを設けることによって、タンバックルを回転させて、タンバックルの下端部に設けられたフックの高さを調節できるようにするとよい。
【００２０】
本考案のグレーチング取外し工具を扱う者によって、ハンドルの使いやすい位置も様々であるため、タンバックルでフックの高さを調節することができれば、ハンドルの高さを変えることができて使いやすい。
【００２１】
さらに、フック上端のアームへの取付け位置に、フックを角度変更部からハンドルまでの間で移動できるようにしたスライド部を設けることで、グレーチングの幅に合わせてスライドさせてフックの位置を調整できる。このスライド部を設けることで、色々なサイズのグレーチングに対応させることが可能となる。
【００２２】
本考案のグレーチング取外し工具の主な使い方としては、まず取り外したいグレーチングの横の地面に支点パネルを設置する。この時、グレーチングが連なっている方向に対して、グレーチング取外し工具のアームが垂直に交差するように設置する。また、支点パネルの設置面には、ズレ止め防止用のゴムがセットされており、支点パネルが安定し、作業がしやすい構造となっている。
【００２３】
次に、フックの下端部をグレーチングの格子に引っ掛け、ハンドルを上方に上げれば、グレーチングが容易に持ち上がる。さらに、支点パネルに対してアームが回動自在なため、グレーチングを持ち上げた状態で、コロパイプなどの管状のものをグレーチングの下へ差し込めば、グレーチングを側溝から浮かせた状態に保つことができ、グレーチング取外し工具をグレーチングから外すことができる。
【考案の効果】
【００２４】
本考案のグレーチング取外し工具は、以上のような構成からなるので次のような効果が得られる。
【００２５】
（１）一人の力でもグレーチングを軽く持ち上げることができ、安全かつ容易に取り外すことができる。
【００２６】
（２）フックの上部にタンバックルやスライド部を設けることによって、フックの位置や高さを容易に調整することができる。
【００２７】
（３）グレーチングを持ち上げた状態で、コロパイプなどの管状のものをグレーチングの下へ差し込めば、グレーチングを側溝から浮かせた状態に保つことができ、グレーチング取外し工具をグレーチングから外すことができる。
【図面の簡単な説明】
【００２８】
【図１】本考案に係るグレーチング取外し工具の一実施形態を示した概略図である。
【考案を実施するための形態】
【００２９】
以下、本考案の具体的な実施形態を添付図面に基づいて説明する。なお、本考案は以下に示される実施形態に限定されるものではない。
【００３０】
図１は、本考案に係るグレーチング取外し工具１をグレーチング１０に使用した場合の一実施形態を示した概略図である。
【００３１】
グレーチング取外し工具１の端部に支点パネル２を設け、支点パネル２に取り付けられたアーム３は、支点パネル２に対して回動自在である。このアーム３は、支点パネル２から斜め上方に伸び、アーム３の先端部にはハンドル４がある。
【００３２】
また、アーム３は角度変更部５で角度が変わっており、支点パネル２から角度変更部５までの角度よりも角度変更部５からハンドル４までの角度の方が緩やかである。
【００３３】
支点パネル２に対してアーム３が回動自在であり、アーム３の途中から角度を変えることで、ハンドル４を握って上下に動かしやすく、アーム３もスムーズに動く。
【００３４】
角度変更部５からスライド部８を介して下方に回動自在にタンバックル７を設けて、タンバックル７の下にＬ字型のフック６を設けている。ここではＬ字型のフック６を示したが、フック６の先端部にグレーチング１の格子を引っかけられるものであれば形状は特に限定されない。
【００３５】
スライド部８を介して、タンバックル７やフック６を取り付けていることによって、横方向にフック６の位置をスライドし、移動させることができる。さらに、フック６の上にタンバックル７を設けることによって、タンバックル７を回転させるとフック６の高さを調節できる仕組みにしている。
【００３６】
また、アーム３に対してタンバックル７が回動自在に取り付けられていることによって、タンバックル７の下に取り付けられているフック６が動きやすく、グレーチング１０への脱着がしやすい。また、ハンドル４を上下に動かすと、その動きに連動してアーム３およびタンバックル７とフック６も上下する構造になっている。
【００３７】
次に、側溝１１の清掃手順の実施例を挙げて、説明する。
【００３８】
（１）清掃する側溝１１に設置されているグレーチング１０の固定ナット１２を取り外す。この時、固定ナット１２が錆び等で固着している場合、作業前に潤滑剤などを塗布しておくと簡単に固定ナット１２が脱着できる。グレーチング１０が錆びたり、グレーチング１０と枠１３との間に土砂が詰まったりして、グレーチング１０が固着している場合は、グレーチング１０の周りをマイナスドライバー等で清掃する。
【００３９】
（２）グレーチング取外し工具１の支点パネル２を取り外したいグレーチング１０の横に設置する。この時、グレーチング取外し工具１は、グレーチング１０の長さＬに対して端の方（手前側）にセットし、長さＬに対してアーム３が垂直に交差する方向に設置する。
【００４０】
（３）スライド部８をグレーチング１０の幅に合わせて移動させ、フック６の横方向の位置を調節する。スライド部８によってフック６の横方向の位置を調節できるため、色々なサイズのグレーチング１０に対応させることができる。
【００４１】
（４）ハンドル４を上下しやすい姿勢になるように、タンバックル７を調整して、グレーチング取外し工具１のハンドル４の高さを適正な高さにする。適正な高さとは、グレーチング取外し工具１を扱う者が無理のない体勢でハンドル４を上下できる高さである。
【００４２】
タンバックル７を右に回転させるとフック６が長くなり、ハンドル４が高くなる。逆にタンバックル７を左に回転させるとフック６は短くなり、ハンドル４は低くなる。ハンドル４の位置が適正でないと、膝や腰を痛める原因となることが懸念されるため、注意が必要である。
【００４３】
（５）フック６をグレーチング１０の格子に引っ掛ける。確実にフック６がグレーチング１０の格子にセットされているかを確認する。
【００４４】
（６）ハンドル４を上げて、グレーチング１０を持ち上げる。ハンドル４を持ち上げる時は、グレーチング取外し工具１が前方にずれない様に上方向にゆっくりと持ち上げるようにする。グレーチング１０自体は非常に重たく、勢いよく持ち上げようとするのは危険であるため、注意しながらゆっくりと行うのがよい。ハンドル４を持ち上げて軽く上がるかどうかを確認し、軽い場合は次の作業（７）に進む。
【００４５】
ここで、グレーチング１０が重く感じる場合、あるいは上がらない場合は、グレーチング１０が枠１３とまだ固着している可能性が考えられるため、枠１３の周りをもう一度清掃する。清掃後、さらにグレーチング１０と枠１３とが接している部分をハンマー等で叩き、グレーチング１０が動きやすく取り外しがしやすいようにする。
【００４６】
（７）グレーチング１０の端部が１０ｃｍ程度持ち上がったら、コロパイプをグレーチング１０と側溝１１との間に差し込む。ここでは、グレーチング１０と側溝１１との間に差し込む物の例としてコロパイプを挙げたが、断面が丸くて細い棒状のもので、グレーチング１０を載せてもつぶれない頑丈な品質のものであればよい。
【００４７】
（８）もう１本のコロパイプを先ほど差し込んだコロパイプより手前側に差し込み、グレーチング１０を２本のコロパイプの上に載せ、グレーチング１０を側溝１１から浮かせた状態にする。グレーチング取外し工具１をグレーチング１０から外し、グレーチング１０は２本のコロパイプの上に載せたまま転がして移動させる。その際、手で直接グレーチング１０を引っ張るなどして移動させると、手を挟む危険がある為、例えば、先端がＬ字型になっている引き棒などを使い、グレーチング１０を転がす作業を行なうと良い。
【００４８】
（９）グレーチング１０を取り外した部分の側溝１１を清掃する。ここで、２個於きに１個のグレーチング１０を外すと、外したグレーチングを隣のグレーチングの上まで転がしてそのまま置いておくことができるため、効率的で作業の負担も軽減できる。
【００４９】
（１０）側溝１１を清掃した後、グレーチング１０をコロパイプに載った状態で元の位置まで転がして移動させる。
【００５０】
（１１）元の位置まで移動させたら、グレーチング取外し工具１を再びセットし、フック６をグレーチング１０の格子に再度引っかけて、ハンドル４を上方向にゆっくりと持ち上げ、グレーチング１０を持ち上げて、コロパイプを抜き、グレーチング１０を元の位置に戻してセットする。
【００５１】
コロパイプを使用することにより、重いグレーチング１０を持ち上げずに容易に移動することができる。広範囲の側溝清掃が必要な場合でも一人で作業を行なうことが可能になる。また、重いグレーチングを持ち上げることがないため、腰痛対策にも有効である。
【符号の説明】
【００５２】
１…グレーチング取外し工具
２…支点パネル
３…アーム
４…ハンドル
５…角度変更部
６…フック
７…タンバックル
８…スライド部
１０…グレーチング
１１…側溝
１２…固定ナット
１３…枠
Ｌ…グレーチングの長さ
【図１】
0003209892.tif 000003